(57)【要約】【課題】運転者が安全輸送を心がけるための知識を体系的に習得できる運転者教育装置を提供すること。【解決手段】運転者教育装置２０は、運送事業に従事する運転者を教育するものであって、運転者が安全輸送を心がけるための知識を習得するための情報を含む安全教育情報を表示する表示手段２２と、表示手段２２を制御する制御手段２３と、運転者の操作を受け付ける操作受付手段２４と、を備え、制御手段２３は、表示手段２２に表示した安全教育情報に対して、操作受付手段２４により、運転者の操作を受け付けた場合に、安全教育情報の表示態様を変化させる。【選択図】図２
2018040912.tif 000002
【特許請求の範囲】
【請求項１】
運送事業に従事する運転者を教育する運転者教育装置であって、
運転者が安全輸送を心がけるための知識を習得するための情報を含む安全教育情報を表示する表示手段と、
前記表示手段を制御する制御手段と、
運転者の操作を受け付ける操作受付手段と、を備え、
前記制御手段は、前記表示手段に表示した前記安全教育情報に対して、前記操作受付手段により、運転者の操作を受け付けた場合に、前記安全教育情報の表示態様を変化させる運転者教育装置。
【請求項２】
前記安全教育情報は、複数の項目からなり、
各前記項目には、運転者が安全輸送を心がけるための知識の一部を示す情報である安全教育コンテンツと、前記安全教育コンテンツに関連した内容であり、運転者に回答を求める問題コンテンツが含まれ、
前記制御手段は、前記表示手段において、
複数の前記項目を表示可能であり、
前記項目毎に、前記安全教育コンテンツを示す安全教育コンテンツ表示と、前記問題コンテンツを示す問題コンテンツ表示と、を表示させ、
前記安全教育コンテンツ表示に対して、前記操作受付手段により、運転者の操作を受け付けた場合に、前記安全教育コンテンツ表示の表示態様を第１態様から第２態様に変化させ、
前記問題コンテンツ表示に対して、前記操作受付手段により、運転者の操作を受け付け、所定の条件を満たした場合に、当該問題コンテンツ表示を含む前記項目を表示しなくする請求項１に記載の運転者教育装置。
【請求項３】
請求項１又は２に記載の運転者教育装置と、前記運転者教育装置にネットワークを介して接続され、前記運転者教育装置に前記安全教育情報を配信するサーバと、を備える運転者教育システムであって、
前記運転者教育装置は、前記表示手段に表示した前記安全教育情報に対して、前記操作受付手段により、運転者の操作を受け付けた場合に、当該安全教育情報を履修したことを示す履修情報を、前記サーバに送信する送信手段を、更に備え、
前記サーバは、
前記安全教育情報を、所定間隔で部分的に、前記運転者教育装置に配信する配信手段と、
運転者を識別する運転者識別情報に、当該運転者の前記運転者教育装置に配信した前記安全教育情報を対応付けて記憶する記憶手段と、
前記運転者教育装置から送信された前記履修情報を受信する受信手段と、
前記受信手段が前記履修情報を受信した場合に、前記記憶手段において、前記運転者識別情報及び前記安全教育情報に、当該運転者識別情報により識別される運転者が当該安全教育情報を履修済みであることを示す履修済み情報を対応付ける運転者教育管理手段と、を備える運転者教育システム。
【請求項４】
運送事業に従事する運転者を教育する運転者教育装置が実行する運転者教育方法であって、
前記運転者教育装置は、運転者が安全輸送を心がけるための知識を習得するための情報を含む安全教育情報を表示する表示手段を備え、
前記表示手段を制御する表示制御ステップと、
運転者の操作を受け付ける操作受付ステップと、を含み、
前記表示制御ステップでは、前記表示手段に表示した前記安全教育情報に対して、前記操作受付ステップにより、運転者の操作を受け付けた場合に、前記安全教育情報の表示態様を変化させる運転者教育方法。
【請求項５】
運送事業に従事する運転者を教育する運転者教育装置を制御するコンピュータを、
運転者が安全輸送を心がけるための知識を習得するための情報を含む安全教育情報を表示する表示手段、
前記表示手段を制御する制御手段、
運転者の操作を受け付ける操作受付手段、として機能させ、
前記制御手段は、前記表示手段に表示した前記安全教育情報に対して、前記操作受付手段により、運転者の操作を受け付けた場合に、前記安全教育情報の表示態様を変化させるプログラム。
【発明の詳細な説明】
【技術分野】
【０００１】
本発明は、運転者教育装置、運転者教育システム、運転者教育方法及びプログラムに関する。
【背景技術】
【０００２】
トラックにより運送事業を行う事業者は、国土交通省が示す、安全輸送を心がけるための知識を身につけさせることを目的としたマニュアルに基づき、運転者に対する指導・監督することが義務づけられている。
【０００３】
このため事業者は、運転者に対面による講習・学習の代替又は補完となる上記マニュアルを渡し、理解するように指導・監督しているが、内容が膨大であり、運転者が安全輸送を心がけるための知識を習得しきれていない場合もあった。
【０００４】
また、近年の情報端末の普及により、運転者を教育することができる技術として、問題提示時間及び考慮時間がそれぞれ定義されている問題を複数登録している問題データベース８を備えると共に、車両の走行パターンを推定する走行推定手段１４を備え、更に、推定した走行パターンに基づいて問題を選択して提示する提示手段１５を備える車両用情報提示装置１が提案されている（特許文献１参照）。
この特許文献１の車両用情報提示装置１によれば、運転者が車内ですごす時間を教養を高める時間とすることができる。
【先行技術文献】
【特許文献】
【０００５】
【特許文献１】特開２００８−２３３２００号公報
【発明の概要】
【発明が解決しようとする課題】
【０００６】
しかしながら、特許文献１の車両用情報提示装置１のように、問題を提示したとしても、運転者自身が後からこの問題を回答したかどうかの確認ができないため、体系的な知識を習得するのは困難である。
【０００７】
本発明は、上記のような課題に鑑み、なされたものであり、運転者が安全輸送を心がけるための知識を体系的に習得できる運転者教育装置、運転者教育システム、運転者教育方法及びプログラムを提供することを目的とする。
【課題を解決するための手段】
【０００８】
（１）  運送事業に従事する運転者を教育する運転者教育装置であって、
運転者が安全輸送を心がけるための知識を習得するための情報を含む安全教育情報を表示する表示手段と、
前記表示手段を制御する制御手段と、
運転者の操作を受け付ける操作受付手段と、を備え、
前記制御手段は、前記表示手段に表示した前記安全教育情報に対して、前記操作受付手段により、運転者の操作を受け付けた場合に、前記安全教育情報の表示態様を変化させる運転者教育装置。
【０００９】
上記構成によれば、運送事業に従事する運転者を教育する運転者教育装置は、表示手段と、制御手段と、操作受付手段と、を備える。
表示手段は、運転者が安全輸送を心がけるための知識を習得するための情報を含む安全教育情報を表示する。
制御手段は、表示手段を制御する。
操作受付手段は、運転者の操作を受け付ける。
そして、制御手段は、表示手段に表示した安全教育情報に対して、操作受付手段により、運転者の操作を受け付けた場合に、安全教育情報の表示態様を変化させる。
【００１０】
これにより、運転者は、表示手段に表示された運転者が安全輸送を心がけるための知識を習得するための情報を含む安全教育情報に対して、操作する（例えば、安全教育情報を読んだことを示すボタン等の操作）ことで、安全教育情報の表示態様が変化する。このため、例えば、安全教育情報が複数の項目からなっていた場合、運転者は、表示態様が変化している安全教育情報の項目が習得済みであることが分かり、表示態様が変化していない安全教育情報の他の項目に対して、操作していくことで、安全教育情報の全体を習得することができる。
したがって、運転者が安全輸送を心がけるための知識を体系的に習得できる運転者教育装置を提供できる。
【００１１】
（２）  前記安全教育情報は、複数の項目からなり、
各前記項目には、運転者が安全輸送を心がけるための知識の一部を示す情報である安全教育コンテンツと、前記安全教育コンテンツに関連した内容であり、運転者に回答を求める問題コンテンツが含まれ、
前記制御手段は、前記表示手段において、
複数の前記項目を表示可能であり、
前記項目毎に、前記安全教育コンテンツを示す安全教育コンテンツ表示と、前記問題コンテンツを示す問題コンテンツ表示と、を表示させ、
前記安全教育コンテンツ表示に対して、前記操作受付手段により、運転者の操作を受け付けた場合に、前記安全教育コンテンツ表示の表示態様を第１態様から第２態様に変化させ、
前記問題コンテンツ表示に対して、前記操作受付手段により、運転者の操作を受け付け、所定の条件を満たした場合に、当該問題コンテンツ表示を含む前記項目を表示しなくする（１）に記載の運転者教育装置。
【００１２】
上記構成によれば、安全教育情報は、複数の項目からなる。また、各項目には、運転者が安全輸送を心がけるための知識の一部を示す情報である安全教育コンテンツと、安全教育コンテンツに関連した内容であり、運転者に回答を求める問題コンテンツが含まれる。
制御手段は、表示手段において、複数の項目を表示可能であり、項目毎に、安全教育コンテンツを示す安全教育コンテンツ表示と、問題コンテンツを示す問題コンテンツ表示と、を表示させる。
そして、制御手段は、表示手段において、安全教育コンテンツ表示に対して、操作受付手段により、運転者の操作を受け付けた場合に、安全教育コンテンツ表示の表示態様を第１態様から第２態様に変化させ、問題コンテンツ表示に対して、操作受付手段により、運転者の操作を受け付け、所定の条件を満たした場合に、当該問題コンテンツ表示を含む項目を表示しなくする。
【００１３】
これにより、運転者は、安全教育情報の一部である項目における安全教育コンテンツ表示及び問題コンテンツ表示に対して、まず、安全教育コンテンツ表示に対して、操作する（例えば、安全教育コンテンツを読んだことを示すボタンの操作等）ことで、安全教育コンテンツ表示の表示態様が第１態様から第２態様に変化する。次に、運転者は、問題コンテンツ表示に対して、操作（例えば、問題コンテンツに対する回答を選択する操作等）し、所定の条件を満たした場合（例えば、運転者の操作により選択された回答が正解だった場合等）、項目自体を表示しなくする。
【００１４】
よって、運転者は、ある項目の安全教育コンテンツ表示の表示態様が第１態様であれば、安全教育コンテンツを習得していないこと（例えば、読んでいないこと）が分かり、安全教育コンテンツ表示の表示態様が第２態様であれば、安全教育コンテンツを習得した（例えば、読んだ）ものの、問題コンテンツに対して回答していないことが分かり、当該項目が表示手段から消えていれば、当該項目については問題コンテンツに対する回答まで完了していることが分かるので、他の項目に移ることができる。
したがって、運転者が安全輸送を心がけるための知識をより体系的に習得できる運転者教育装置を提供できる。
【００１５】
（３）  （１）又は（２）に記載の運転者教育装置と、前記運転者教育装置にネットワークを介して接続され、前記運転者教育装置に前記安全教育情報を配信するサーバと、を備える運転者教育システムであって、
前記運転者教育装置は、前記表示手段に表示した前記安全教育情報に対して、前記操作受付手段により、運転者の操作を受け付けた場合に、当該安全教育情報を履修したことを示す履修情報を、前記サーバに送信する送信手段を、更に備え、
前記サーバは、
前記安全教育情報を、所定間隔で部分的に、前記運転者教育装置に配信する配信手段と、
運転者を識別する運転者識別情報に、当該運転者の前記運転者教育装置に配信した前記安全教育情報を対応付けて記憶する記憶手段と、
前記運転者教育装置から送信された前記履修情報を受信する受信手段と、
前記受信手段が前記履修情報を受信した場合に、前記記憶手段において、前記運転者識別情報及び前記安全教育情報に、当該運転者識別情報により識別される運転者が当該安全教育情報を履修済みであることを示す履修済み情報を対応付ける運転者教育管理手段と、を備える運転者教育システム。
【００１６】
上記構成によれば、運転者教育システムは、運転者教育装置と、運転者教育装置にネットワークを介して接続されたサーバと、を備える。
運転者教育装置は、表示手段に表示した安全教育情報に対して、操作受付手段により、運転者の操作を受け付けた場合に、当該安全教育情報を履修したことを示す履修情報を、サーバに送信する送信手段を、更に備える。
サーバは、運転者教育装置に安全教育情報を配信し、配信手段と、記憶手段と、受信手段と、運転者教育管理手段と、を備える。
配信手段は、安全教育情報を、所定間隔で部分的に、運転者教育装置に配信する。
記憶手段は、運転者を識別する運転者識別情報に、当該運転者の運転者教育装置に配信した安全教育情報を対応付けて記憶する。
受信手段は、運転者教育装置から送信された履修情報を受信する。
運転者教育管理手段は、受信手段が履修情報を受信した場合に、記憶手段において、運転者識別情報及び安全教育情報に、当該運転者識別情報により識別される運転者が当該安全教育情報を履修済みであることを示す履修済み情報を対応付ける。
【００１７】
これにより、サーバより安全教育情報を、所定間隔で部分的に、運転者教育装置に配信できる。このため、運転者は、運転者教育装置により、この所定間隔の間に、配信された分だけの安全教育情報を習得することができるので、例えば、安全教育情報全体では膨大な量があっても、段階的に安全教育情報全体を習得することができる。
【００１８】
また、サーバが、安全教育情報を履修したことを示す履修情報を運転者教育装置から受信した場合、運転者を識別する運転者識別情報に、当該運転者の運転者教育装置に配信した安全教育情報を対応付けて記憶した記憶手段において、当該運転者が当該安全教育情報を履修済みであることを示す履修済み情報を対応付けるので、サーバの管理者（例えば、運転者に対する指導・監督が義務づけられている運送事業を行う事業者）は、運転者が安全輸送を心がけるための知識を習得するための情報を含む安全教育情報の習得の状況を、運転者毎に把握することが可能となる。
【００１９】
（４）  運送事業に従事する運転者を教育する運転者教育装置が実行する運転者教育方法であって、
前記運転者教育装置は、運転者が安全輸送を心がけるための知識を習得するための情報を含む安全教育情報を表示する表示手段を備え、
前記表示手段を制御する表示制御ステップと、
運転者の操作を受け付ける操作受付ステップと、を含み、
前記表示制御ステップでは、前記表示手段に表示した前記安全教育情報に対して、前記操作受付ステップにより、運転者の操作を受け付けた場合に、前記安全教育情報の表示態様を変化させる運転者教育方法。
【００２０】
これにより、上記（１）の発明と同様の作用効果を奏する。
【００２１】
（５）  運送事業に従事する運転者を教育する運転者教育装置を制御するコンピュータを、
運転者が安全輸送を心がけるための知識を習得するための情報を含む安全教育情報を表示する表示手段、
前記表示手段を制御する制御手段、
運転者の操作を受け付ける操作受付手段、として機能させ、
前記制御手段は、前記表示手段に表示した前記安全教育情報に対して、前記操作受付手段により、運転者の操作を受け付けた場合に、前記安全教育情報の表示態様を変化させるプログラム。
【００２２】
これにより、上記（１）の発明と同様の作用効果を奏する。
【発明の効果】
【００２３】
本発明によれば、運転者が安全輸送を心がけるための知識を体系的に習得できる運転者教育装置、運転者教育システム、運転者教育方法及びプログラムを提供できる。
【図面の簡単な説明】
【００２４】
【図１】本発明の実施形態に係る運転者教育システム１の概要を示す図である。
【図２】本発明の実施形態に係る運転者教育システム１の機能ブロックを示す図である。
【図３】本発明の実施形態に係る運転者教育システム１の運転者ＤＢ１２０の一例を説明する図である。
【図４】本発明の実施形態に係る運転者教育システム１の運転者教育装置２０の表示手段２２に表示される表示画面の一例を説明する図である。
【図５】本発明の実施形態に係る運転者教育システム１の運転者教育装置２０の表示手段２２に表示される表示画面の一例を説明する図である。
【図６】本発明の実施形態に係る運転者教育システム１の運転者教育装置２０の表示手段２２に表示される表示画面の一例を説明する図である。
【図７】本発明の実施形態に係る運転者教育システム１の運転者教育装置２０の表示手段２２に表示される表示画面の一例を説明する図である。
【図８】本発明の実施形態に係る運転者教育システム１の運転者教育装置２０が実行する運転者教育処理フローを示す図である。
【発明を実施するための形態】
【００２５】
以下、添付図面を参照して、本発明を実施するための形態（以下、実施形態）について詳細に説明する。なお、実施形態の説明の全体を通して同じ構成には同じ番号（符号）を付している。
【００２６】
まず、本発明の実施形態に係る運転者教育システム１の概要について説明する。図１は、本発明の実施形態に係る運転者教育システム１の概要を示す図である。
運転者教育システム１は、運送事業に従事する運転者を教育する場合に利用されるシステムであり、サーバ１０と、サーバ１０とネットワークを介して接続されており、運送事業に従事する運転者に操作される運転者教育装置２０と、を備える。
【００２７】
運転者教育システム１は、例えば、運送事業を行う事業者が、運転者に対し、「貨物自動車運送事業法」等の法令に基づく運転者が遵守すべき事項に関する知識のほか、トラックの運行の安全を確保するために必要な運転に関する技能・知識を、習得させるために利用される。
【００２８】
サーバ１０は、例えば、運送事業を行う事業者により管理・操作される。
運転者教育装置２０は、例えば、タブレット等の携帯端末で構成され、トラック等を運転する運転者により操作される。
【００２９】
運転者教育システム１において、サーバ１０は、運転者が安全輸送を心がけるための知識を習得するための情報を含む安全教育情報を、所定間隔（例えば、２週間間隔）で部分的に、運転者教育装置２０に配信する。
【００３０】
運転者教育装置２０は、サーバ１０から配信された安全教育情報を表示する。
運転車は、運転者教育装置２０に表示された安全教育情報を読み（学習し）、この安全教育情報に対し、例えば、安全教育情報を読んだことを示すボタン等を操作する。
【００３１】
運転者教育装置２０は、表示した安全教育情報に対して、運転者が操作した場合に、この安全教育情報の表示態様を変化させる。
【００３２】
また、運転者教育装置２０は、安全教育情報に対して、運転者が操作した場合、当該安全教育情報を履修したことを示す履修情報を、サーバ１０に送信する。
【００３３】
サーバ１０は、履修情報を運転者教育装置２０から受信した場合、運転者を識別する運転者識別情報に、当該運転者の運転者教育装置に配信した安全教育情報を対応付けて記憶した記憶手段において、当該運転者が当該安全教育情報を履修済みであることを示す履修済み情報を対応付ける。
【００３４】
このような運転者教育システム１によれば、運転者教育装置２０において、運転者が、ある安全教育情報に対して操作することで、安全教育情報の表示態様が変化する。このため、例えば、安全教育情報が複数の項目からなっていた場合、運転者は、表示態様が変化している安全教育情報の項目が習得済みであることが分かり、表示態様が変化していない安全教育情報の他の項目に対して、操作していくことで、安全教育情報の全体を習得することができる。
したがって、運転者が安全輸送を心がけるための知識を体系的に習得できる運転者教育装置を提供できる。
【００３５】
また、サーバ１０より安全教育情報を、所定間隔で部分的に、運転者教育装置２０に配信するため、運転者は、運転者教育装置２０により、この所定間隔の間に、配信された分だけの安全教育情報を習得することができるので、例えば、安全教育情報全体では膨大な量があっても、段階的に安全教育情報全体を習得することができる。
【００３６】
また、サーバ１０が、安全教育情報を履修したことを示す履修情報を運転者教育装置２０から受信した場合、運転者を識別する運転者識別情報に、当該運転者の運転者教育装置に配信した安全教育情報を対応付けて記憶した記憶手段において、当該運転者が当該安全教育情報を履修済みであることを示す履修済み情報を対応付けるので、サーバの管理者（例えば、運転者に対する指導・監督が義務づけられている運送事業を行う事業者）は、運転者が安全輸送を心がけるための知識を習得するための情報を含む安全教育情報の習得の状況を、運転者毎に把握することが可能となる。
【００３７】
次に、本発明の実施形態に係る運転者教育システム１の機能構成について説明する。図２は、本発明の実施形態に係る運転者教育システム１の機能ブロックを示す図である。
【００３８】
運転者教育システム１は、サーバ１０と、運転者教育装置２０と、を備える。
【００３９】
サーバ１０は、配信手段１０１と、受信手段１０２と、運転者教育管理手段１０３と、記憶手段の一例である運転者データベース（以下、「運転者ＤＢ」とも言う。）１２０と、を備える。
【００４０】
配信手段１０１は、安全教育情報を、所定間隔で部分的に、運転者教育装置２０に配信する。
本実施形態において、「安全教育情報」は、複数の項目からなる。また、各項目には、運転者が安全輸送を心がけるための知識の一部を示す情報である安全教育コンテンツと、安全教育コンテンツに関連した内容であり、運転者に回答を求める問題コンテンツと、に加え、安全輸送に関連する情報（例えば、運転中の体調管理に関する情報等）が含まれる。
【００４１】
「安全教育コンテンツ」は、例えば、国土交通省により配布されている「自動車運送事業者が事業用自動車の運転者に対して行う一般的な指導及び監督の実施マニュアル」における章毎の内容や、各章をさらに分割した内容を示す情報である。
また、「問題コンテンツ」は、安全教育コンテンツの内容の理解度を確認することが可能な問題となっている。
【００４２】
なお、１つの項目には、１つの安全教育コンテンツ（例えば、上記マニュアルのある章を複数に分割した一部）と、当該安全教育コンテンツに関連する問題コンテンツを１つ又は複数含めてもよい。
また、安全教育コンテンツや問題コンテンツは、上記の実施マニュアルの内容に限らず、事業者独自の内容であってもよい。また、配信手段１０１は、問題コンテンツに加え、問題のヒントも配信してもよい。
【００４３】
また、配信手段１０１は、安全教育コンテンツと問題コンテンツとを同時に配信する場合に限らず、例えば、安全教育コンテンツを所定間隔で配信し、問題コンテンツを特定の日付や曜日に配信してもよい。また、配信手段１０１は、問題コンテンツを配信する予定を示す情報を、問題コンテンツに先行して配信してもよい。また、配信手段１０１は、所定のスケジュールに基づき、安全教育情報を配信してもよいし、例えば、この所定のスケジュールを無効とし、任意のタイミングで安全教育情報を配信してもよい。また、配信手段１０１は、安全教育情報の配信に先行して、安全教育情報を配信する（月間・年間）スケジュールを配信してもよい。また、配信手段１０１は、事業者の運転者全員に同一の内容の安全教育情報を一斉配信してもよいし、特定の運転者（例えば、運転経験が比較的少ない者や、交通違反が比較的多い者等）に対してのみ、特定のスケジュールで安全教育情報を配信（例えば、他の者が年に２４回なのに対し、年に４８回配信）してもよい。
【００４４】
受信手段１０２は、運転者教育装置２０から送信された、運転者が安全教育情報のある項目を履修したことを示す履修情報を受信する。
【００４５】
運転者教育管理手段１０３は、受信手段１０２が、運転者教育装置２０から履修情報を受信した場合に、運転者ＤＢ１２０において、運転者識別情報及び安全教育情報に、当該運転者識別情報により識別される運転者が当該安全教育情報を履修済みであることを示す履修済み情報を対応付ける。
【００４６】
図３は、本発明の実施形態に係る運転者教育システム１の運転者ＤＢ１２０の一例を説明する図である。
運転者ＤＢ１２０は、運転者を識別する運転者識別情報の一例である運転者ＩＤに、運転者の名前、安全教育情報の項目、配信した時及び履修済み情報の一例である受信した時（図３に示す例では受信日）が対応付けられている。
図３に示す例において、「配信した時」は、配信手段１０１が、安全教育情報の項目を運転者教育装置２０に配信した日である配信日であるが、これに限らず、配信した日時であってもよい。また、「受信した時」は、受信手段１０２が、運転者教育装置２０から履修情報を受信した受信日であるが、これに限らず、受信した日時であってもよい。また、図３の受信日の欄に示す「−」は、まだ、受信手段１０２が履修情報を受信していない（運転者が、「−」に対応付けられている安全教育情報のある項目を履修していない）ことを示す。
【００４７】
図２に戻って、配信手段１０１は、運転者ＤＢ１２０（図３参照）を参照して、ある運転者を識別する運転者識別情報に対応付けられた安全教育情報の項目において、配信日から所定期間（例えば、２週間等）経過しているにもかかわらず、履修情報を受信していない（「−」が対応付けられ、受信日が対応付けられていない）場合、当該運転者の運転者教育装置２０に、当該安全教育情報の項目が未履修であることを示す未履修情報や、当該安全教育情報の項目を履修することを促すリマインド情報を送信してもよい。
【００４８】
運転者教育装置２０は、送受信手段２１と、表示手段２２と、制御手段２３と、操作受付手段２４と、を備える。
運転者教育装置２０は、例えば、スマートフォン、携帯電話、タブレット等の携帯端末や、トラックに設置されるドライブレコーダ、カーナビゲーションシステム等で構成される。
【００４９】
送受信手段２１は、制御手段２３の制御により、サーバ１０から安全教育情報を、例えば、項目毎に受信する。
また、送受信手段２１は、制御手段２３の制御により、表示手段２２に表示した安全教育情報に対して、操作受付手段２４により、運転者の操作を受け付けた場合に、当該安全教育情報を履修したことを示す履修情報を、サーバ１０に送信する。
【００５０】
表示手段２２は、例えば、タッチパネルで構成され、制御手段２３の制御により、運転者が安全輸送を心がけるための知識を習得するための情報を含む安全教育情報を表示する。
【００５１】
制御手段２３は、表示手段２２を制御する。
制御手段２３は、表示手段２２において、安全教育情報の複数の項目を表示可能であり、項目毎に、安全教育コンテンツを示す安全教育コンテンツ表示と、問題コンテンツを示す問題コンテンツ表示と、を表示させる。
【００５２】
操作受付手段２４は、例えば、表示手段２２と同じタッチパネルで構成され、運転者の操作を受け付ける。
そして、制御手段２３は、表示手段２２に表示した安全教育情報に対して、操作受付手段２４により、運転者の操作を受け付けた場合に、安全教育情報の表示態様を変化させる。詳細には、制御手段２３は、表示手段２２において、安全教育コンテンツ表示に対して、操作受付手段２４により、運転者の操作を受け付けた場合に、安全教育コンテンツ表示の表示態様を第１態様から第２態様に変化させ、問題コンテンツ表示に対して、操作受付手段２４により、運転者の操作を受け付け、所定の条件を満たした場合に、当該問題コンテンツ表示を含む項目を表示しなくする。
【００５３】
また、運転者教育装置２０が、所定間隔（例えば、３分毎）でＧＰＳ(Global  Positioning  System)衛星から、ＧＰＳ信号を受信し、受信したＧＰＳ信号に基づき位置情報を算出する位置情報取得手段や加速度センサを備える場合、制御手段２３は、位置情報取得手段が算出した位置情報に基づき、所定時間内における移動距離から移動スピードを算出し、この移動スピードが所定値（例えば、時速３０ｋｍ以上）を超えている場合や、加速度センサで、所定値以上の加速度を検知した場合、安全教育情報を非表示としたり、操作受付手段２４の操作を無効としたりしてもよい。これにより、例えば、運転者が運転中に、表示手段２２に表示された安全教育情報を見たり、運転者教育装置２０を操作したりするのを防止できる。
【００５４】
図４から図７は、本発明の実施形態に係る運転者教育システム１の運転者教育装置２０の表示手段２２に表示される表示画面の一例を説明する図である。
図４に示す例は、安全教育情報の複数の項目が表示された安全トレーニング一覧画面２００である。
制御手段２３は、送受信手段２１が、安全教育情報の項目を受信した場合、表示手段２２において、図７に示すような安全トレーニング一覧画面２００を表示する。
【００５５】
図４に示す例では、安全トレーニング一覧画面２００には、内容が互いに異なる第１項目（「ＩＩＩ．トラックの構造上の特性  ｖｏｌ．３」）２１０、第２項目（「ＩＶ．貨物の正しい積載方法  ｖｏｌ．１」）２２０、第３項目（「ＩＶ．貨物の正しい積載方法  ｖｏｌ．２」）２３０及び安全輸送に関連する情報を示す付加項目（「熱中症対策の注意喚起」）２４０が表示されている。
制御手段２３は、送受信手段２１により、これらの項目を受信する毎に、安全トレーニング一覧画面に加え、受信した時間が一番遅い項目（最新の項目）を、最上位置に配置して、表示手段２２に表示する。
【００５６】
安全トレーニング一覧画面２００において、各項目には、安全教育コンテンツを示す安全教育コンテンツ表示画面に遷移する契機となる安全教育コンテンツ表示２０１と、１つ又は複数の問題コンテンツを示す問題コンテンツ表示画面に遷移する契機となる問題コンテンツ表示２０２と、が含まれている。
【００５７】
そして、制御手段２３は、安全トレーニング一覧画面２００において、安全教育コンテンツ表示２０１が、運転者によりタッチされた場合、表示手段２２における表示を、図５に示す安全教育コンテンツ表示画面３００に遷移させる。
安全教育コンテンツ表示画面３００には、安全教育コンテンツの内容に加え、例えば、運転者が操作受付手段２４により入力可能なコメント欄と、安全教育コンテンツの内容を習得した場合に、運転者が操作可能な習得ボタン３０１と、が含まれている。
なお、制御手段２３は、コメント欄に入力されたテキストデータを、送受信手段２１により、サーバ１０に送信する。サーバ１０は、このようなテキストデータを、運転者ＤＢ１２０（図３参照）において、運転者識別情報及び安全教育情報に、対応付けて記憶してもよい。
【００５８】
この場合、制御手段２３は、例えば、項目毎に、表示手段２２において、安全教育コンテンツ表示画面３００を表示させた回数や時間を表示してもよいし、送受信手段２１により、この回数や時間を示す情報を、サーバ１０に送信してもよい。また、制御手段２３は、コメント欄への入力を任意としてもよいし、強制（例えば、コメント欄に所定文字数以上の入力があるまで、習得ボタン３０１を非表示とする等）としてもよい。
【００５９】
そして、制御手段２３は、安全教育コンテンツ表示画面３００において、習得ボタン３０１が、運転者によりタッチされた場合、表示手段２２における表示を、安全トレーニング一覧画面２００に遷移させるとともに、当該安全教育コンテンツ表示画面３００に遷移するためにタッチされた安全教育コンテンツ表示２０１を第１態様から第２態様に変化させる。
【００６０】
制御手段２３は、表示手段２２において、安全教育コンテンツ表示２０１を第１態様から第２態様に変化させる場合、例えば、安全教育コンテンツ表示２０１の色を変化させたり、安全教育コンテンツ表示２０１の明度を変化させたりする。
具体的には、図４に示す例では、制御手段２３は、第１項目２１０の安全教育コンテンツ表示２０１のような状態（明度が比較的低い状態）から、第２項目２２０の安全教育コンテンツ表示２０１のような状態（明度が比較的高い状態）に変化させる。
【００６１】
また、制御手段２３は、安全トレーニング一覧画面２００において、問題コンテンツ表示２０２が、運転者によりタッチされた場合、表示手段２２における表示を、図６に示す問題コンテンツ表示画面４００に遷移させる。
問題コンテンツ表示画面４００には、安全教育コンテンツの内容の理解度を確認することが可能な問題と、運転者が操作受付手段２４により入力可能な当該問題の回答欄と、運転者が操作可能であり、回答欄に入力したデータをサーバ１０に送信し、答え合わせを要求するための送信ボタン４０１と、が含まれている。
【００６２】
そして、制御手段２３は、問題コンテンツ表示画面４００において、送信ボタン４０１が、運転者によりタッチされた場合、送受信手段２１により、回答欄に入力したデータをサーバ１０に送信する。サーバ１０は、例えば、問題コンテンツ表示画面４００に表示する問題と当該問題の回答とが対応付けられた問題データベースを参照して、運転者教育装置２０から送信されたデータが正解か否かを判断し、その正否を示す正否情報を、運転者教育装置２０に送信する。
【００６３】
この場合、サーバ１０は、運転者毎や、複数の運転者からなるグループ（例えば、斑や営業所）毎に、回答の正否をポイントにし（例えば、正解であれば３ポイント、不正解であれば１ポイント、所定の期間や期日が経過しても回答欄に入力したデータが送信されていない場合には−１ポイント等）、このポイントを累積して記憶してもよい。これにより、運転者における安全教育情報を習得するためのモチベーションが向上する。
【００６４】
制御手段２３は、送受信手段２１により、サーバ１０から送信された正否情報を受信し、受信した正否情報が正解を示していた場合（所定の条件を満たした場合であり、問題が複数あった場合には、全問正解を示していた場合）、表示手段２２における表示を、安全トレーニング一覧画面２００に遷移させるとともに、当該問題コンテンツ表示画面４００に遷移するためにタッチされた項目を表示しなくする。
【００６５】
この場合、制御手段２３は、正解までの誤答回数や、問題コンテンツ表示画面４００を表示してから、正解を示す正否情報を受信するまでの時間を計測し、これらを表示手段２２に表示したり、送受信手段２１により、サーバ１０に送信したりしてもよい。
【００６６】
具体的には、図４に示す例において、制御手段２３は、表示手段２２に表示した安全トレーニング一覧画面２００において、第１項目２１０の複数の問題コンテンツ表示２０２から遷移する問題コンテンツ表示画面４００の問題が全て正解になった場合、図７に示すように、安全トレーニング一覧画面２００から第１項目２１０の表示を消す。
【００６７】
なお、図２に示した機能ブロックは、あくまでも一例であり、１つの機能部を分割したり、複数の機能部をまとめて１つの機能部として構成してもよい。サーバ１０は一台とは限らず、複数台であってもよい。各機能は、サーバ１０、運転者教育装置２０に内蔵されたＣＰＵ(Central  Processing  Unit)が、ＲＯＭ(Read  Only  Memory)又はハードディスク等の記憶手段としての記憶装置に格納されたコンピュータ・プログラムを読み出し、ＣＰＵにより実行されるコンピュータ・プログラムが、記憶装置に格納されたデータベース(DB;Data  Base)やメモリ上の記憶領域からテーブル等の必要なデータを読み書きし、場合によっては、関連するハードウェア（例えば、入出力装置、表示装置、通信インターフェース装置）を制御することによって実現される。
【００６８】
次に、図８を参照して、本発明の実施形態に係る運転者教育システム１の運転者教育装置２０が実行する運転者教育処理について説明する。図８は、本発明の実施形態に係る運転者教育システム１の運転者教育装置２０が実行する運転者教育処理フローを示す図である。
【００６９】
ステップＳ１において、送受信手段２１は、制御手段２３の制御により、サーバ１０から安全教育情報を、項目毎に受信する。
【００７０】
ステップＳ２において、制御手段２３は、表示手段２２において、ステップＳ１で送受信手段２１が受信した安全教育情報を項目毎に、安全教育コンテンツ表示と、問題コンテンツ表示と、を表示させる。
【００７１】
ステップＳ３において、制御手段２３は、表示手段２２において、ステップＳ２で表示した安全教育コンテンツ表示に対して、操作受付手段２４により、運転者の操作を受け付けたか否かを判断し、操作を受け付けたと判断した場合にはステップＳ４に処理を移し、操作を受け付けたと判断しない場合には、継続して安全教育コンテンツ表示画面を表示する。
【００７２】
ステップＳ４において、制御手段２３は、表示手段２２に表示した安全トレーニング一覧画面における安全教育コンテンツ表示の表示態様を第１態様から第２態様に変化させる。
【００７３】
ステップＳ５において、制御手段２３は、問題コンテンツ表示に対して、操作受付手段２４により、運転者の操作を受け付けたか否かを判断し、操作を受け付けたと判断した場合にはステップＳ６に処理を移し、操作を受け付けたと判断しない場合には、継続して問題コンテンツ表示画面を表示する。
【００７４】
ステップＳ６において、制御手段２３は、所定の条件を満たした（問題コンテンツ表示画面に表示されている問題に全問正解した）か否かを判断し、所定の条件を満たしたと判断した場合にはステップＳ７に処理を移し、所定の条件を満たしたと判断しない場合には、ステップＳ５に処理を戻す。
【００７５】
ステップＳ７において、制御手段２３は、表示手段２２に表示した安全トレーニング一覧画面における、当該問題コンテンツ表示を含む項目を表示しなくする。
【００７６】
以上、実施形態を用いて本発明を説明したが、本発明の技術的範囲は上記実施形態に記載の範囲には限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【符号の説明】
【００７７】
１  運転者教育システム
１０  サーバ
２０  運転者教育装置
２１  送受信手段
２２  表示手段
２３  制御手段
２４  操作受付手段
１０１  配信手段
１０２  受信手段
１０３  運転者教育管理手段
１２０  運転者ＤＢ
【図１】
2018040912.tif 000003
【図２】
2018040912.tif 000004
【図３】
2018040912.tif 000005
【図４】
2018040912.tif 000006
【図５】
2018040912.tif 000007
【図６】
2018040912.tif 000008
【図７】
2018040912.tif 000009
【図８】
2018040912.tif 000010